(57)【特許請求の範囲】
【請求項１】
公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なう撮影用照光装置において、
前記電池電源の公称電圧とほぼ等しい電圧を蓄積するためのコンデンサと、
前記コンデンサの蓄積電圧を前記電池電源の電源電圧に上乗せして昇圧し、前記白色発光ダイオードと、前記青色発光ダイオードおよび緑色発光ダイオードとのうちの使用されているものに前記昇圧された出力を供給する昇圧回路と、
シャッタの開閉動作に連動して、シャッタが開いている間、前記昇圧回路を作動させるとともに、前記各発光ダイオードに通電するためのシャッタ連動スイッチング手段とを有し、
前記白色発光ダイオード、前記青色発光ダイオードおよび前記緑色発光ダイオードに比べ順方向電圧が低い前記赤色発光ダイオードは、前記電池電源から直接電流を流すように回路接続されたことを特徴とする撮影用照光装置。
【請求項２】
公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なう撮影用照光装置において、
前記電池電源の公称電圧とほぼ等しい電圧を蓄積するためのコンデンサと、
前記コンデンサの蓄積電圧を前記電池電源の電源電圧に上乗せして昇圧し、使用されている前記ダイオードに前記昇圧された出力を供給する昇圧回路と、
シャッタの開閉動作に連動して、シャッタが開いている間、前記昇圧回路を作動させるとともに、前記各発光ダイオードに通電するためのシャッタ連動スイッチング手段とを有し、
前記白色発光ダイオード、青色発光ダイオードおよび緑色発光ダイオードは、前記昇圧回路の出力に対して１個ずつ並列に接続し、前記白色発光ダイオード、前記青色発光ダイオードおよび前記緑色発光ダイオードに比べ順方向電圧が低い前記赤色発光ダイオードは、２個ずつの直列回路を単位として前記昇圧回路の出力に対して接続することを特徴とする撮影用照光装置。
【請求項３】
前記昇圧回路は、
制御端子を備えた第１のスイッチング手段の被制御路および制御端子を備えた第２のスイッチング手段の被制御路を直列に接続した回路を、前記電池電源の両電極間に接続し、
第３のスイッチング手段および第１のコンデンサを直列に接続した回路を、前記電池電源の一方の電極と、前記第１のスイッチング手段と前記第２のスイッチング手段との接続点との間に接続し、
第４のスイッチング手段および第２のコンデンサを直列に接続した回路を、前記第３のスイッチング手段と前記第１のコンデンサとの接続点と、前記電池電源の他方の電極との間に接続し、
前記シャッタ連動スイッチング手段に連動し、シャッタが開いている間だけ、クロック信号を発生するクロック発生手段を有し、
前記第１のスイッチング手段の制御端子および前記第２のスイッチング手段の制御端子に、前記クロック発生手段からのクロック信号を印加して、前記第１のスイッチング手段と前記第２のスイッチング手段を交互にオン／オフ動作させ、
前記第２のスイッチング手段のオン動作と同期して、前記第３のスイッチング手段がオンとなり、前記第１のコンデンサをほぼ前記電源電圧まで充電し、
前記第１のスイッチング手段のオン動作と同期して、前記第４のスイッチング手段がオンとなり、前記第２のコンデンサを前記電源電圧のほぼ倍の電圧まで充電するように構成したことを特徴とする請求項１または２に記載の撮影用照光装置。
【請求項４】
前記第３のスイッチング手段は、制御端子を備え且つその被制御路を前記電池電源の前記一方の電極と前記第１のコンデンサとの間に介挿した能動素子を含む構成とし、
前記クロック発生手段からクロック信号が発生されていない場合には、前記第３のスイッチング手段をオフとするようにしたことを特徴とする請求項３に記載の撮影用照光装置。
【請求項５】
前記昇圧回路は、
制御端子を備えた第１のスイッチング手段の被制御路および制御端子を備えた第２のスイッチング手段の被制御路を直列に接続した回路を、前記電池電源の一方の電極と他方の電極との間に接続し、
第３のスイッチング手段およびコンデンサを直列に接続した回路を、前記電池電源の前記一方の電極と前記第１のスイッチング手段と前記第２のスイッチング手段との接続点との間に接続し、
前記シャッタ連動スイッチング手段に連動し、シャッタが開いている間だけ、クロック信号を発生するクロック発生手段を有し、
前記第１のスイッチング手段の制御端子および前記第２のスイッチング手段の制御端子に、前記クロック発生手段からのクロック信号を印加して、前記第１のスイッチング手段と前記第２のスイッチング手段を交互にオン／オフ動作させ、
前記第２のスイッチング手段のオン動作と同期して、前記第３のスイッチング手段がオンとなり、前記コンデンサをほぼ前記電源電圧まで充電し、
前記第１のスイッチング手段のオン動作によって、前記コンデンサへの印加電圧を前記電源電圧のほぼ倍の電圧まで昇圧させるように構成したことを特徴とする請求項１または２に記載の撮影用照光装置。
【請求項６】
前記第３のスイッチング手段は、制御端子を備え且つその被制御路を前記電池電源の前記一方の電極と前記コンデンサとの間に介挿した能動素子を含む構成とし、
前記クロック発生手段からクロック信号が発生されていない場合には、前記第３のスイッチング手段をオフとするようにしたことを特徴とする請求項５に記載の撮影用照光装置。
【請求項７】
前記赤色発光ダイオードが、前記電池電源の前記一方の電極と、前記第１のスイッチング手段の被制御路と前記第２のスイッチング手段の被制御路との接続点との間に接続されたことを特徴とする請求項３または５に記載の撮影用照光装置。
【請求項８】
前記第３のスイッチング手段は、
前記第１のスイッチング手段の被制御路と前記第２のスイッチング手段の被制御路との接続点にベース電極が結合されたトランジスタと、
前記トランジスタのエミッタ−コレクタ間回路に直列に接続されたダイオードとを具備することを特徴とする請求項４または６に記載の撮影用照光装置。
【請求項９】
前記クロック発生手段は、シャッタが開放近くまで開いた時に当該クロック発生手段により発生される前記クロック信号を前記第１のスイッチング手段および前記第２のスイッチング手段の各制御端子に印加し、且つシャッタが閉じ始めた時に前記クロック発生手段によるクロック信号が停止するようにクロックを制御するクロック制御手段を備えることを特徴とする請求項１〜８のうちのいずれか１項に記載の撮影用照光装置。
【発明の詳細な説明】
【０００１】
【発明の属する技術分野】
本発明は、在来の写真フィルムを用いるカメラ、ディジタルカメラ等と称される電子カメラ、およびビデオカメラ等による撮影に際し被写体に照明光を照射するための撮影用照光装置の改良に係り、特に、高感度フィルムを用いた撮影や電子カメラを用いた撮影に好適な撮影用照光装置に関する。
【０００２】
【従来の技術】
近年、写真フィルム、いわゆる銀塩フィルムの感度が向上し、ＩＳＯ感度８００〜１６００等の高感度フィルムが、一般消費者にも容易に入手し得るようになった。このため、銀塩フィルムを用いる在来のカメラ、いわゆる銀塩カメラ、によっても高感度フィルムによる高感度撮影が容易に行なえるようになった。さらにデジタルスチルカメラ等と称される電子カメラにおいてもＣＣＤ（電荷結合素子）撮像素子等のような撮像素子の感度が向上してきている。このため、被写体照明に従来の大光量ストロボやフラッドランプのような大光量がかならずしも必要でなくなってきた。
さらに、発光ダイオード（ＬＥＤ）の輝度の向上も目覚しく、しかも光の３原色である赤色、緑色および青色の各色の発光ダイオードが入手できるようになり、各種照明に利用されるようになってきた。
このような発光ダイオードを、カメラ撮影用の照明の光源として採用した従来の技術の一例が、特開平１１−１３３４９０号公報に示されている。
特開平１１−１３３４９０号公報に示された構成においては、電源として、公称１．５Ｖの乾電池を２本用いる時には、これらを直列に接続してなる電池電源から電力を供給して発光ダイオードを発光させる。また、１．５Ｖの電池を１本しか使用しない場合には昇圧回路を用いて発光ダイオードを発光させるようにしている。
【０００３】
【発明が解決しようとする課題】
しかしながら、現在入手可能な白色発光ダイオード、青色発光ダイオードおよび緑色発光ダイオードを写真撮影に必要な光量で発光させようとすると、順方向電圧は３．５Ｖ以上となる。このため、公称１．５Ｖの乾電池２本では、たとえ直列に接続しても充分な光量を得ることができない。また、発光ダイオードはその発光色によって、順方向電流が異なるため、赤色発光ダイオードの順方向電圧は約２Ｖと低く、公称１．５Ｖの乾電池２本を直列接続した場合には、わざわざ昇圧回路により昇圧する必要がない。
本発明は、上述した事情に鑑みてなされたもので、カメラ等において使用頻度が高く且つ使用装置の小型化が容易に実現できる電池である公称１．５Ｖの乾電池２個および公称３Ｖのリチウム電池１個等の公称３Ｖの電池電源を用いて、発光ダイオードを発光させる場合のように、写真等の撮影の照明用に使用するにあたり、電池電源による電源電圧よりも順方向電圧の高い発光ダイオードを、シャッタが開いている間だけ、昇圧回路を作動させて発光させることによって、公称３Ｖの電池電源を用いて、発光ダイオードを撮影照明用に充分な光量で発光させることを可能とする撮影用照光装置を提供することを目的としている。
【０００４】
本発明の請求項１の目的は、特に、電池電源による電源電圧よりも順方向電圧の高い発光ダイオードをシャッタが開いている間だけ発光させるための昇圧回路を、比較的簡単な構成によりシャッタが開いている間のみ作動させ、順方向電圧の低い発光ダイオードは前記電源電圧で駆動させることを可能とする撮影用照光装置を提供することにある。
本発明の請求項２の目的は、特に、白色発光ダイオード、青色発光ダイオードまたは緑色発光ダイオードの順方向電圧が、赤色発光ダイオードの順方向電圧の２倍弱という性質を利用し、赤色発光ダイオードを２個直列に接続して昇圧回路に接続することにより、赤色発光ダイオードに流すトータル電流を削減することを可能とする撮影用照光装置を提供することにある。
本発明の請求項３の目的は、特に、前記昇圧回路の具体的な構成の一つの好適な態様を用い、部品点数およびコストを削減し得る撮影用照光装置を提供することにある。
本発明の請求項４の目的は、特に、撮影照明用の発光ダイオードの通電制御を、昇圧回路内のスイッチング手段で兼用して、回路の簡素化、およびそれによる部品点数と製造コストを削減し得る撮影用照光装置を提供することにある。
本発明の請求項５の目的は、特に、昇圧回路をさらに簡単化し、部品点数および製造コストを削減し得る撮影用照光装置を提供することにある。
本発明の請求項６の目的は、特に、請求項４の撮影用照光装置における撮影照明用の発光ダイオードの通電制御を、昇圧回路内のスイッチング手段で兼用して、回路の簡素化、およびそれによる部品点数と製造コストを削減し得る撮影用照光装置を提供することにある。
【０００５】
本発明の請求項７の目的は、特に、順方向電圧の低い赤色発光ダイオードを電池電源から直接発光させる場合、赤色発光ダイオードの通電制御を昇圧回路内のスイッチング手段で兼用することで、部品点数および製造コストを削減し得る撮影用照光装置を提供することにある。
本発明の請求項８の目的は、特に、前記昇圧回路におけるスイッチング手段の接続構成を工夫することにより、回路の簡素化を図るとともに、部品点数および製造コストを削減することを可能とする撮影用照光装置を提供することにある。
本発明の請求項９の目的は、特に、発光ダイオードに大電流を流せる時間は、１０ｍＳ程度と比較的短いことを考慮し、シャッタの開放時間と発光ダイオードの発光時間とを合わせて、発光ダイオードの発光光量を効率良く利用することができる撮影用照光装置を提供することにある。
【０００６】
【課題を解決するための手段】
請求項１に記載した本発明に係る撮影用照光装置は、上述した目的を達成するために、公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なう撮影用照光装置において、
前記電池電源の公称電圧とほぼ等しい電圧を蓄積するためのコンデンサと、
前記コンデンサの蓄積電圧を前記電池電源の電源電圧に上乗せして昇圧し、前記白色発光ダイオードと、前記青色発光ダイオードおよび緑色発光ダイオードとのうちの使用されているものに前記昇圧された出力を供給する昇圧回路と、
シャッタの開閉動作に連動して、シャッタが開いている間、前記昇圧回路を作動させるとともに、前記各発光ダイオードに通電するためのシャッタ連動スイッチング手段とを有し、
前記白色発光ダイオード、前記青色発光ダイオードおよび前記緑色発光ダイオードに比べ順方向電圧が低い前記赤色発光ダイオードは、前記電池電源から直接電流を流すように回路接続されたことを特徴としている。
【０００７】
また、請求項２に記載した本発明に係る撮影用照光装置は、上述した目的を達成するために、
公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なう撮影用照光装置において、
前記電池電源の公称電圧とほぼ等しい電圧を蓄積するためのコンデンサと、
前記コンデンサの蓄積電圧を前記電池電源の電源電圧に上乗せして昇圧し、使用されている前記ダイオードに前記昇圧された出力を供給する昇圧回路と、
シャッタの開閉動作に連動して、シャッタが開いている間、前記昇圧回路を作動させるとともに、前記各発光ダイオードに通電するためのシャッタ連動スイッチング手段とを有し、
前記白色発光ダイオード、青色発光ダイオードおよび緑色発光ダイオードは、前記昇圧回路の出力に対して１個ずつ並列に接続し、前記白色発光ダイオード、前記青色発光ダイオードおよび前記緑色発光ダイオードに比べ順方向電圧が低い前記赤色発光ダイオードは、２個ずつの直列回路を単位として前記昇圧回路の出力に対して接続することを特徴としている。
また、請求項３に記載した本発明に係る撮影用照光装置は、
前記昇圧回路が、
制御端子を備えた第１のスイッチング手段の被制御路および制御端子を備えた第２のスイッチング手段の被制御路を直列に接続した回路を、前記電池電源の両電極間に接続し、
第３のスイッチング手段および第１のコンデンサを直列に接続した回路を、前記電池電源の一方の電極と、前記第１のスイッチング手段と前記第２のスイッチング手段との接続点との間に接続し、
第４のスイッチング手段および第２のコンデンサを直列に接続した回路を、前記第３のスイッチング手段と前記第１のコンデンサとの接続点と、前記電池電源の他方の電極との間に接続し、
前記シャッタ連動スイッチング手段に連動し、シャッタが開いている間だけ、クロック信号を発生するクロック発生手段を有し、
前記第１のスイッチング手段の制御端子および前記第２のスイッチング手段の制御端子に、前記クロック発生手段からのクロック信号を印加して、前記第１のスイッチング手段と前記第２のスイッチング手段を交互にオン／オフ動作させ、
前記第２のスイッチング手段のオン動作と同期して、前記第３のスイッチング手段がオンとなり、前記第１のコンデンサをほぼ前記電源電圧まで充電し、
前記第１のスイッチング手段のオン動作と同期して、前記第４のスイッチング手段がオンとなり、前記第２のコンデンサを前記電源電圧のほぼ倍の電圧まで充電するように構成したことを特徴としている。
【０００８】
請求項４に記載した本発明に係る撮影用照光装置は、
前記第３のスイッチング手段が、制御端子を備え且つその被制御路を前記電池電源の前記一方の電極と前記第１のコンデンサとの間に介挿した能動素子を含む構成とし、
前記クロック発生手段からクロック信号が発生されていない場合には、前記第３のスイッチング手段をオフとするようにしたことを特徴としている。
【０００９】
請求項５に記載した本発明に係る撮影用照光装置は、
前記昇圧回路が、
制御端子を備えた第１のスイッチング手段の被制御路および制御端子を備えた第２のスイッチング手段の被制御路を直列に接続した回路を、前記電池電源の一方の電極と他方の電極との間に接続し、
第３のスイッチング手段およびコンデンサを直列に接続した回路を、前記電池電源の前記一方の電極と前記第１のスイッチング手段と前記第２のスイッチング手段との接続点との間に接続し、
前記シャッタ連動スイッチング手段に連動し、シャッタが開いている間だけ、クロック信号を発生するクロック発生手段を有し、
前記第１のスイッチング手段の制御端子および前記第２のスイッチング手段の制御端子に、前記クロック発生手段からのクロック信号を印加して、前記第１のスイッチング手段と前記第２のスイッチング手段を交互にオン／オフ動作させ、
前記第２のスイッチング手段のオン動作と同期して、前記第３のスイッチング手段がオンとなり、前記コンデンサをほぼ前記電源電圧まで充電し、
前記第１のスイッチング手段のオン動作によって、前記コンデンサへの印加電圧を前記電源電圧のほぼ倍の電圧まで昇圧させるように構成したことを特徴としている。
【００１０】
請求項６に記載した本発明に係る撮影用照光装置は、
前記第３のスイッチング手段が、制御端子を備え且つその被制御路を前記電池電源の前記一方の電極と前記コンデンサとの間に介挿した能動素子を含む構成とし、
前記クロック発生手段からクロック信号が発生されていない場合には、前記第３のスイッチング手段をオフとするようにしたことを特徴としている。
請求項７に記載した本発明に係る撮影用照光装置は、前記赤色発光ダイオードが、前記電池電源の前記一方の電極と、前記第１のスイッチング手段の被制御路と前記第２のスイッチング手段の被制御路との接続点との間に接続されたことを特徴としている。
【００１１】
請求項８に記載した本発明に係る撮影用照光装置は、
前記第３のスイッチング手段が、
前記第１のスイッチング手段の被制御路と前記第２のスイッチング手段の被制御路との接続点にベース電極が結合されたトランジスタと、
前記トランジスタのエミッタ−コレクタ間回路に直列に接続されたダイオードと
を具備することを特徴としている。
請求項９に記載した本発明に係る撮影用照光装置は、
前記クロック発生手段が、シャッタが開放近くまで開いた時に当該クロック発生手段により発生される前記クロック信号を前記第１のスイッチング手段および前記第２のスイッチング手段の各制御端子に印加し、且つシャッタが閉じ始めた時に前記クロック発生手段によるクロック信号が停止するようにクロックを制御するクロック制御手段を備えることを特徴としている。
【００１３】
【作  用】
すなわち、本発明の請求項１による撮影用照光装置は、公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なう撮影用照光装置において、前記電池電源の公称電圧とほぼ等しい電圧を蓄積するためのコンデンサの蓄積電圧を前記電池電源の電源電圧に上乗せして昇圧する昇圧回路により、昇圧された出力を、前記白色発光ダイオードと、前記青色発光ダイオードおよび緑色発光ダイオードとに供給し、前記白色発光ダイオード、前記青色発光ダイオードおよび前記緑色発光ダイオードに比べ順方向電圧が低い前記赤色発光ダイオードには、前記電池電源から直接電流を供給し、シャッタが開いている間、シャッタの開閉動作に連動するシャッタ連動スイッチング手段により、前記昇圧回路を作動させるとともに、前記各発光ダイオードに通電する。
【００１４】
このような構成により、カメラ等において使用頻度が高く且つ使用装置の小型化が容易に実現できる電池である公称１．５Ｖの乾電池２個および公称３Ｖのリチウム電池１個等の公称３Ｖの電池電源を用いて、発光ダイオードを発光させる場合のように、写真等の撮影の照明用に使用するにあたり、電池電源による電源電圧よりも順方向電圧の高い発光ダイオードを、シャッタが開いている間だけ、昇圧回路を作動させて発光させることによって、公称３Ｖの電池電源を用いて、発光ダイオードを撮影照明用に充分な光量で発光させることを可能とし、特に、電池電源による電源電圧よりも順方向電圧の高い発光ダイオードを発光させるための昇圧回路を、比較的簡単な構成によりシャッタが開いている間のみ作動させることを可能とすると共に、順方向電圧が低い発光ダイオードは、前記昇圧回路を介さず、電池電源の電源電圧を通電することで、電源効率を向上させることができる。
【００１５】
また、本発明の請求項２による撮影用照光装置は、公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なう撮影用照光装置において、
前記電池電源の公称電圧とほぼ等しい電圧を蓄積するためのコンデンサの蓄積電圧を昇圧回路により前記電池電源の電源電圧に上乗せして昇圧し、使用されている前記ダイオードに前記昇圧された出力を供給し、シャッタ連動スイッチング手段が、
シャッタの開閉動作に連動して、シャッタが開いている間、前記昇圧回路を作動させるとともに、前記各発光ダイオードに通電する。
前記白色発光ダイオード、青色発光ダイオードおよび緑色発光ダイオードは、前記昇圧回路の出力に対して１個ずつ並列に接続し、前記白色発光ダイオード、前記青色発光ダイオードおよび前記緑色発光ダイオードに比べ順方向電圧が低い前記赤色発光ダイオードは、２個ずつの直列回路を単位として前記昇圧回路の出力に対して接続する。
このような構成により、特に、白色発光ダイオード、青色発光ダイオードまたは緑色発光ダイオードの順方向電圧が、赤色発光ダイオードの順方向電圧の２倍弱という性質を利用し、赤色発光ダイオードを２個直列に接続して昇圧回路に接続することにより、赤色発光ダイオードに流すトータル電流を削減することを可能とする。
また、本発明の請求項３による撮影用照光装置は、前記昇圧回路が、制御端子を備えた第１のスイッチング手段の被制御路および制御端子を備えた第２のスイッチング手段の被制御路を直列に接続した回路を、前記電池電源の両電極間に接続し、第３のスイッチング手段および第１のコンデンサを直列に接続した回路を、前記電池電源の一方の電極と、前記第１のスイッチング手段と前記第２のスイッチング手段との接続点との間に接続し、第４のスイッチング手段および第２のコンデンサを直列に接続した回路を、前記第３のスイッチング手段と前記第１のコンデンサとの接続点と、前記電池電源の他方の電極との間に接続し、前記シャッタ連動スイッチング手段に連動し、シャッタが開いている間だけ、クロック信号を発生するクロック発生手段を有し、前記第１のスイッチング手段の制御端子および前記第２のスイッチング手段の制御端子に、前記クロック発生手段からのクロック信号を印加して、前記第１のスイッチング手段と前記第２のスイッチング手段を交互にオン／オフ動作させ、前記第２のスイッチング手段のオン動作と同期して、前記第３のスイッチング手段がオンとなり、前記第１のコンデンサをほぼ前記電源電圧まで充電し、前記第１のスイッチング手段のオン動作と同期して、前記第４のスイッチング手段がオンとなり、前記第２のコンデンサを前記電源電圧のほぼ倍の電圧まで充電するように構成する。
このような構成により、特に、前記昇圧回路の具体的な構成の一つの好適な態様を提供することができる。
【００１６】
本発明の請求項４による撮影用照光装置は、前記第３のスイッチング手段が、制御端子を備え且つその被制御路を前記電池電源の前記一方の電極と前記第１のコンデンサとの間に介挿した能動素子を含む構成とし、前記クロック発生手段からクロック信号が発生されていない場合には、前記第３のスイッチング手段をオフとする。
このような構成により、特に、撮影照明用の発光ダイオードの通電制御を、昇圧回路内のスイッチング手段で兼用して、回路の簡素化、およびそれによる部品点数と製造コストを削減することができる。
本発明の請求項５による撮影用照光装置は、前記昇圧回路が、制御端子を備えた第１のスイッチング手段の被制御路および制御端子を備えた第２のスイッチング手段の被制御路を直列に接続した回路を、前記電池電源の一方の電極と他方の電極との間に接続し、第３のスイッチング手段およびコンデンサを直列に接続した回路を、前記電池電源の前記一方の電極と前記第１のスイッチング手段と前記第２のスイッチング手段との接続点との間に接続し、前記シャッタ連動スイッチング手段に連動し、シャッタが開いている間だけ、クロック信号を発生するクロック発生手段を有し、前記第１のスイッチング手段の制御端子および前記第２のスイッチング手段の制御端子に、前記クロック発生手段からのクロック信号を印加して、前記第１のスイッチング手段と前記第２のスイッチング手段を交互にオン／オフ動作させ、前記第２のスイッチング手段のオン動作と同期して、前記第３のスイッチング手段がオンとなり、前記コンデンサをほぼ前記電源電圧まで充電し、前記第１のスイッチング手段のオン動作によって、前記コンデンサへの印加電圧を前記電源電圧のほぼ倍の電圧まで昇圧させるように構成する。
このような構成により、特に、昇圧回路をさらに簡単化し、部品点数および製造コストを削減し得る構成を提供することができる。
【００１７】
本発明の請求項６による撮影用照光装置は、前記第３のスイッチング手段が、制御端子を備え且つその被制御路を前記電池電源の前記一方の電極と前記コンデンサとの間に介挿した能動素子を含む構成とし、前記クロック発生手段からクロック信号が発生されていない場合には、前記第３のスイッチング手段をオフとする。
このような構成により、特に、請求項５の撮影用照光装置における撮影照明用の発光ダイオードの通電制御を、昇圧回路内のスイッチング手段で兼用して、回路の簡素化、およびそれによる部品点数と製造コストを削減することができる。
本発明の請求項７による撮影用照光装置は、前記赤色発光ダイオードが、前記電池電源の前記一方の電極と、前記第１のスイッチング手段の被制御路と前記第２のスイッチング手段の被制御路との接続点との間に接続される。
このような構成により、特に、順方向電圧の低い赤色発光ダイオードを電池電源から直接発光させる場合、赤色発光ダイオードの通電制御を昇圧回路内のスイッチング手段で兼用することで、部品点数および製造コストを削減することができる。
【００１８】
本発明の請求項８による撮影用照光装置は、前記第３のスイッチング手段が、前記第１のスイッチング手段の被制御路と前記第２のスイッチング手段の被制御路との接続点にベース電極が結合されたトランジスタと、前記トランジスタのエミッタ−コレクタ間回路に直列に接続されたダイオードとを具備する。
このような構成により、特に、前記昇圧回路におけるスイッチング手段の接続構成を工夫することによって、回路の簡素化を図るとともに、部品点数および製造コストを削減することを可能としている。
本発明の請求項９による撮影用照光装置は、前記クロック発生手段が、シャッタが開放近くまで開いた時に当該クロック発生手段により発生される前記クロック信号を前記第１のスイッチング手段および前記第２のスイッチング手段の各制御端子に印加し、且つシャッタが閉じ始めた時に前記クロック発生手段によるクロック信号が停止するようにクロックを制御するクロック制御手段を備える。
このような構成により、特に、発光ダイオードに大電流を流せる時間は、１０ｍＳ程度と比較的短いことを考慮し、シャッタの開放時間と発光ダイオードの発光時間とを合わせて、発光ダイオードの発光光量を効率良く利用することができる。
【００２０】
【発明の実施の形態】
以下、図面を参照して本発明の撮影用照光装置の実施の形態を詳細に説明する。
図１は、本発明の第１の実施の形態に係る撮影用照光装置の回路構成を示している。図１に示す撮影用照光装置は、例えば在来の銀塩カメラに組み込まれているものとする。
図１に示す撮影用照光装置は、電池電源ＢＰ１、トランジスタＱ１、トランジスタＱ２、クロック発生手段ＣＧ１、ダイオードＤ１、ダイオードＤ２、コンデンサＣ１、コンデンサＣ２、スイッチＳＷ１、白色発光ダイオード（白色ＬＥＤ）ＬＷ１、青色発光ダイオード（青色ＬＥＤ）ＬＢ１、緑色発光ダイオード（緑色ＬＥＤ）ＬＧ１、赤色発光ダイオード（赤色ＬＥＤ）ＬＲ１および抵抗Ｒ１〜Ｒ６を具備している。トランジスタＱ１、トランジスタＱ２、クロック発生手段ＣＧ１、ダイオードＤ１、ダイオードＤ２、コンデンサＣ１、コンデンサＣ２、抵抗Ｒ１および抵抗Ｒ２は、昇圧回路ＶＰ１を構成する。
【００２１】
電池電源ＢＰ１は、例えば、公称１．５Ｖの乾電池２個の直列接続、または公称３Ｖのリチウム電池１個等のように、電池を用いて公称３Ｖの電源電圧を得るように構成している。トランジスタＱ１は、この場合ｐｎｐトランジスタであり、制御端子を有する第１のスイッチング手段を構成する。トランジスタＱ１は、ベース（ベース電極）を制御端子とし、エミッタ（エミッタ電極）−コレクタ（コレクタ電極）間を被制御路としている。トランジスタＱ２は、この場合ｎｐｎトランジスタであり、制御端子を有する第２のスイッチング手段を構成する。トランジスタＱ２は、ベースを制御端子とし、コレクタ−エミッタを被制御路としている。これらトランジスタＱ１の被制御路であるエミッタ−コレクタ間と、トランジスタＱ２の被制御路であるコレクタ−エミッタ間とを互いに直列接続として、電池電源ＢＰ１のプラス側とマイナス側との間に接続している。すなわち、電池電源ＢＰ１のプラス側にトランジスタＱ１のエミッタを接続し、トランジスタＱ１のコレクタをトランジスタＱ２のコレクタに接続し、そしてトランジスタＱ２のエミッタを電池電源ＢＰ１のマイナス側に接続している。トランジスタＱ１のベースは、抵抗Ｒ１を介してクロック発生手段ＣＧ１の第１のクロック出力φ１に接続され、トランジスタＱ２のベースは、抵抗Ｒ２を介してクロック発生手段ＣＧ１の第２のクロック出力φ２に接続される。
【００２２】
ダイオードＤ１は、第３のスイッチング手段として第１のコンデンサＣ１と直列に接続され、これらダイオードＤ１と第１のコンデンサＣ１の直列回路は、電池電源ＢＰ１のプラス側と、前記トランジスタＱ１の被制御路とトランジスタＱ２の被制御路との接続点との間に接続される。すなわち、ダイオードＤ１のアノードが電池電源ＢＰ１のプラス側に接続され、ダイオードＤ１のカソード側に一端が接続された第１のコンデンサＣ１の他端が、トランジスタＱ１のコレクタとトランジスタＱ２のコレクタとの接続点に接続される。
ダイオードＤ２は、第４のスイッチング手段として、第２のコンデンサＣ２と直列に接続され、これらダイオードＤ２と第２のコンデンサＣ２の直列回路は、ダイオードＤ１とコンデンサＣ１との接続点と、電池電源ＢＰ１のマイナス側との間に接続される。すなわち、ダイオードＤ２のアノードが、ダイオードＤ１のカソードと第１のコンデンサＣ１との接続点に接続され、ダイオードＤ２のカソード側に一端が接続された第２のコンデンサＣ２の他端が、電池電源ＢＰ１のマイナス側に接続される。
【００２３】
白色発光ダイオードＬＷ１、青色発光ダイオードＬＢ１、緑色発光ダイオードＬＧ１、および赤色発光ダイオードＬＲ１は、それぞれ所定の順方向電圧以上の電圧にて順方向に通電されると、白色、青色、緑色および赤色に発光する発光ダイオードである。
白色発光ダイオードＬＷ１は、アノード側が抵抗Ｒ３を介して、ダイオードＤ２のカソードと第２のコンデンサＣ２との接続点に接続され、青色発光ダイオードＬＢ１は、アノード側が抵抗Ｒ４を介して、ダイオードＤ２のカソードと第２のコンデンサＣ２との接続点に接続され、そして緑色発光ダイオードＬＧ１は、アノード側が抵抗Ｒ５を介して、ダイオードＤ２のカソードと第２のコンデンサＣ２との接続点に接続される。さらに、赤色発光ダイオードＬＲ１は、アノード側が抵抗Ｒ６を介して、電池電源ＢＰ１のプラス側に接続される。
【００２４】
クロック発生手段ＣＧ１は、２相のクロック出力φ１およびφ２を発生してトランジスタＱ１およびＱ２の各ベースにそれぞれ供給する。２相のクロック出力φ１およびφ２は、対をなす逆位相のクロック信号である。スイッチＳＷ１は、シャッタ開閉機構（図示していない）に連動し、シャッタ開放時にオンとなって、白色発光ダイオードＬＷ１、青色発光ダイオードＬＢ１、緑色発光ダイオードＬＧ１および赤色発光ダイオードＬＲ１のカソードを電池電源ＢＰ１のマイナス側に共通接続する。
このような構成において、昇圧回路ＶＰ１の電源入力端Ｖｉｎには、電池電源ＢＰ１が接続され、公称３Ｖの電源電圧が印加される。昇圧回路ＶＰ１の昇圧出力端Ｖｏｕｔからは電源電圧のほぼ２倍の電圧が出力される。該昇圧出力端Ｖｏｕｔには、写真撮影の照明に用いるための１個以上の白色発光ダイオードＬＷ１、並びに、赤色発光ダイオードＬＲ１、青色発光ダイオードＬＢ１、および緑色発光ダイオードＬＧ１の三原色の発光ダイオードのうち、順方向電圧の高いものが接続されている。すなわち、該昇圧出力端Ｖｏｕｔには、白色発光ダイオードＬＷ１、並びに、青色発光ダイオードＬＢ１および緑発光ダイオードＬＧ１が接続されている。なお、順方向電圧の低い赤色発光ダイオードＬＲ１は、電池電源ＢＰ１に直接接続される。
【００２５】
図１においては、昇圧回路ＶＰ１の昇圧出力端Ｖｏｕｔに、白色発光ダイオードＬＷ１、青色発光ダイオードＬＢ１および緑色発光ダイオードＬＧ１が各１個ずつ接続されるものとして示されているが、実際には、撮影の照明用として全て白色発光ダイオードＬＷ１を用いるならば、青色発光ダイオードＬＢ１、緑色発光ダイオードＬＧ１および赤色発光ダイオードＬＲ１の組み合わせによる三原色発光ダイオードは不要である。逆に三原色の発光ダイオードだけを使用するなら、白色発光ダイオードＬＷ１は不要である。もちろん、図１に示されるように白色発光ダイオードＬＷ１と三原色の発光ダイオードＬＢ１、ＬＧ１およびＬＲ１の組みとを混在させて使用してもかまわない。
また、図１においては、各発光ダイオードＬＷ１、ＬＢ１、ＬＧ１およびＬＲ１が、各１個ずつ設けられているが、各発光ダイオードＬＷ１、ＬＢ１、ＬＧ１およびＬＲ１とも複数個ずつ使用しても良いし、三原色発光ダイオードＬＢ１、ＬＧ１およびＬＲ１の各色毎に発光ダイオード単体の発光量が異なる場合は、各色毎に使用個数を変えて、光量のバランスを整えるようにしても構わない。
【００２６】
また、図１においては、赤色発光ダイオードＬＲ１を電源に直接接続するようにしているが、赤色発光ダイオードＬＲ１を昇圧回路ＶＰ１の昇圧出力端Ｖｏｕｔに接続するようにしても良い。撮影に際し、照明用の発光ダイオードＬＷ１、ＬＢ１、ＬＧ１およびＬＲ１の通電制御を行うスイッチＳＷ１は、図示していないシャッタと連動して、シャッタが開いている間だけオンとなり、撮影照明用の発光ダイオードＬＷ１、ＬＢ１、ＬＧ１およびＬＲ１をシャッタが開いている間だけ発光させるようにしている。なお、撮影の際に照明用の発光ダイオードの発光が不要である場合には、図示していない制御手段によって、昇圧回路ＶＰ１の作動を禁止するか、スイッチＳＷ１がオンとならないようにすればよい。図１に示す撮影用照光装置は、在来の銀塩カメラに組み込まれているものとして説明したが、実質的に同様の構成を用いて電子カメラ等の他の撮影手段に適用することもできる。
【００２７】
上述したように、３Ｖの電池を電源に用いて、電源電圧より順方向電圧の高い、白色発光ダイオード、青色発光ダイオードおよび緑色発光ダイオードを充分な輝度で発光させることができる。このため、電圧の高い電池を用いたり、電池の本数を増やしたりすることなく、カメラ等の小型化に貢献することができる。また、赤色発光ダイオードは、電源から直接電流を流すようにすれば、昇圧回路を通すよりも電源効率を上げることができる。
図２は、本発明の第２の実施の形態に係る撮影用照光装置の概略構成を示している。
図２に示す撮影用照光装置は、電池電源ＢＰ２、トランジスタＱ１１、トランジスタＱ１２、トランジスタＱ１３、クロック発生手段ＣＧ２、ダイオードＤ１１、ダイオードＤ１２、コンデンサＣ１１、コンデンサＣ１２、スイッチＳＷ２、白色発光ダイオードＬＷ２、青色発光ダイオードＬＢ２、緑色発光ダイオードＬＧ２、赤色発光ダイオードＬＲ２および抵抗Ｒ１１〜Ｒ１７を具備している。トランジスタＱ１１、トランジスタＱ１２、トランジスタＱ１３、クロック発生手段ＣＧ２、ダイオードＤ１１、ダイオードＤ１２、コンデンサＣ１１、コンデンサＣ１２、抵抗Ｒ１１〜Ｒ１３およびスイッチＳＷ２は、昇圧回路ＶＰ２を構成する。
【００２８】
図２において、電池電源ＢＰ２、トランジスタＱ１１、トランジスタＱ１２、クロック発生手段ＣＧ２、ダイオードＤ１１、ダイオードＤ１２、コンデンサＣ１１、コンデンサＣ１２、白色発光ダイオードＬＷ２、青色発光ダイオードＬＢ２、緑色発光ダイオードＬＧ２、赤色発光ダイオードＬＲ２および抵抗Ｒ１１、Ｒ１２、Ｒ１４〜Ｒ１７は、図１における電池電源ＢＰ１、トランジスタＱ１、トランジスタＱ２、クロック発生手段ＣＧ１、ダイオードＤ１、ダイオードＤ２、コンデンサＣ１、コンデンサＣ２、白色発光ダイオードＬＷ１、青色発光ダイオードＬＢ１、緑色発光ダイオードＬＧ１、赤色発光ダイオードＬＲ１および抵抗Ｒ１〜Ｒ６とそれぞれほぼ同様の構成である。図２においては、ダイオードＤ１１のアノードと電池電源ＢＰ２のプラス側との間にトランジスタＱ１３の被制御路であるエミッタ−コレクタ間を介挿し、該トランジスタＱ１３のベースは、抵抗Ｒ１３を介して、トランジスタＱ１１の被制御路とトランジスタＱ１２の被制御路との接続点、つまり、トランジスタＱ１１およびトランジスタＱ１２のコレクタに接続した点において、図１と大きく異なっている。
【００２９】
さらに、図２の構成における図１との他の相違点は、赤色発光ダイオードＬＲ２が昇圧回路ＶＰ２の昇圧出力端Ｖｏｕｔに、他の発光ダイオードＬＷ２、ＬＢ２およびＬＧ２と並列に接続されている点、並びに各発光ダイオードＬＷ２、ＬＢ２、ＬＧ２およびＬＲ２のカソード側がスイッチを介さずに電池電源ＢＰ２のマイナス側に接続され、スイッチＳＷ２が、電池電源ＢＰ２のマイナス側とクロック発生手段ＣＧ２のシャッタ開信号入力端ＳＲ２に接続されている点である。電池電源ＢＰ２は、この場合も、例えば、公称１．５Ｖの乾電池２個の直列接続、または公称３Ｖのリチウム電池１個等のように、電池を用いて公称３Ｖの電源電圧を得るように構成している。トランジスタＱ１１は、この場合ｐｎｐトランジスタであり、制御端子を有する第１のスイッチング手段を構成する。トランジスタＱ１１は、ベースを制御端子とし、エミッタ−コレクタ間を被制御路としている。トランジスタＱ１２は、この場合ｎｐｎトランジスタであり、制御端子を有する第２のスイッチング手段を構成する。
【００３０】
トランジスタＱ１２は、ベースを制御端子とし、コレクタ−エミッタを被制御路としている。これらトランジスタＱ１１の被制御路であるエミッタ−コレクタ間と、トランジスタＱ１２の被制御路であるコレクタ−エミッタ間とを互いに直列接続として、電池電源ＢＰ２のプラス側とマイナス側との間に接続している。すなわち、電池電源ＢＰ２のプラス側にトランジスタＱ１１のエミッタを接続し、トランジスタＱ１１のコレクタをトランジスタＱ１２のコレクタに接続し、そしてトランジスタＱ１２のエミッタを電池電源ＢＰ２のマイナス側に接続している。トランジスタＱ１１のベースは、抵抗Ｒ１１を介してクロック発生手段ＣＧ２の第１のクロック出力φ１に接続され、トランジスタＱ１２のベースは、抵抗Ｒ１２を介してクロック発生手段ＣＧ２の第２のクロック出力φ２に接続される。
【００３１】
トランジスタＱ１３およびダイオードＤ１１は、第３のスイッチング手段を構成する。トランジスタＱ１３は、ｐｎｐトランジスタであり、ベースを制御端子とし、エミッタ−コレクタ間を被制御路としている。トランジスタＱ１３の被制御路は、ダイオードＤ１１に直列に接続され、ダイオードＤ１１は、第１のコンデンサＣ１１と直列に接続されて、これらトランジスタＱ１３の被制御路、ダイオードＤ１１、および第１のコンデンサＣ１１の直列回路は、電池電源ＢＰ２のプラス側と、前記トランジスタＱ１１の被制御路とトランジスタＱ１２の被制御路との接続点との間に接続される。すなわち、トランジスタＱ１３のエミッタが電池電源ＢＰ２のプラス側に接続され、トランジスタＱ１３のコレクタが、ダイオードＤ１１のアノードに接続され、ダイオードＤ１１のカソード側に一端が接続された第１のコンデンサＣ１１の他端が、トランジスタＱ１１のコレクタとトランジスタＱ１２のコレクタとの接続点に接続される。トランジスタＱ１３のベースは、抵抗Ｒ１３を介してトランジスタＱ１１のコレクタ（とトランジスタＱ１２のコレクタとの接続点）に接続される。
【００３２】
ダイオードＤ１２は、第４のスイッチング手段として、第２のコンデンサＣ１２と直列に接続され、これらダイオードＤ１２と第２のコンデンサＣ１２の直列回路は、ダイオードＤ１１とコンデンサＣ１１との接続点と、電池電源ＢＰ２のマイナス側との間に接続される。すなわち、ダイオードＤ１２のアノードが、ダイオードＤ１１のカソードと第１のコンデンサＣ１１との接続点に接続され、ダイオードＤ１２のカソード側に一端が接続された第２のコンデンサＣ１２の他端が、電池電源ＢＰ２のマイナス側に接続される。
白色発光ダイオードＬＷ２、青色発光ダイオードＬＢ２、緑色発光ダイオードＬＧ２および赤色発光ダイオードＬＲ２は、それぞれ所定の順方向電圧以上の電圧にて順方向に通電されると、白色、青色、緑色および赤色に発光する発光ダイオードである。
【００３３】
白色発光ダイオードＬＷ２は、アノード側が抵抗Ｒ１４を介して、ダイオードＤ１２のカソードと第２のコンデンサＣ１２との接続点に接続され、青色発光ダイオードＬＢ２は、アノード側が抵抗Ｒ１５を介して、ダイオードＤ１２のカソードと第２のコンデンサＣ１２との接続点に接続され、緑色発光ダイオードＬＧ２は、アノード側が抵抗Ｒ１６を介して、ダイオードＤ１２のカソードと第２のコンデンサＣ１２との接続点に接続され、さらに、赤色発光ダイオードＬＲ２は、アノード側が抵抗Ｒ１７を介して、ダイオードＤ１２のカソードと第２のコンデンサＣ１２との接続点に接続される。白色発光ダイオードＬＷ２、青色発光ダイオードＬＢ２、緑色発光ダイオードＬＧ２、および赤色発光ダイオードＬＲ２のカソードは、共通接続されて電池電源ＢＰ２のマイナス側に接続される。
クロック発生手段ＣＧ２は、図３に示すように、シャッタ開信号入力端ＳＲ２の状態に応動して、シャッタ開信号入力端ＳＲ２がスイッチＳＷ２により、電池電源ＢＰ２のマイナス側に接続されてアースされると、その期間のみ、２相のクロック出力φ１およびφ２を発生してトランジスタＱ１１およびＱ１２の各ベースにそれぞれ供給する。２相のクロック出力φ１およびφ２は、対をなす逆位相のクロック信号である。
【００３４】
スイッチＳＷ２は、シャッタ開閉機構（図示していない）に連動し、シャッタ開放時にオンとなって、クロック発生手段ＣＧ２のシャッタ開信号入力端ＳＲ２をアースする。
このような構成において、昇圧回路ＶＰ２の電源入力端Ｖｉｎには、電池電源ＢＰ２が接続され、公称３Ｖの電源電圧が印加される。昇圧回路ＶＰ２の動作時には、昇圧回路ＶＰ２の昇圧出力端Ｖｏｕｔから電源電圧のほぼ２倍の電圧が出力される。該昇圧出力端Ｖｏｕｔには、写真撮影の照明に用いるための白色発光ダイオードＬＷ２、並びに、三原色の発光ダイオードである青色発光ダイオードＬＢ２、緑色発光ダイオードＬＧ２および赤色発光ダイオードＬＲ２が全て１個ずつ並列に接続されている。
【００３５】
シャッタが閉じており、スイッチＳＷ２がオフとなっていて、昇圧回路ＶＰ２が作動していない状態では、クロック発生手段ＣＧ２のクロック信号φ１出力は“Ｈ”レベル、そしてクロック信号φ２は“Ｌ”レベルとなっており、トランジスタＱ１１およびＱ１２は共にオフとなる。また、トランジスタＱ１３のベースはトランジスタＱ１２のコレクタに接続されているため、トランジスタＱ１２がオフであれば、トランジスタＱ１３もオフとなっている。したがって、昇圧回路ＶＰ２が作動していない状態では、電池電源ＢＰ２から、撮影時の照明用の発光ダイオードＬＷ２、ＬＢ２、ＬＧ２およびＬＲ２には電流は流れない。
【００３６】
次に、昇圧回路ＶＰ２が作動している状態を説明する。
（１）クロック信号φ２のレベルが“Ｌ”→“Ｈ”と変化すると、トランジスタＱ１２がオンとなる。そうすると、トランジスタＱ１３もオンとなるため、第１のコンデンサＣ１１はほぼ電源電圧まで充電される。このとき、第２のコンデンサＣ１２もダイオードＤ１２を通して充電され、コンデンサＣ１２もほぼ電源電圧まで充電される。
（２）コンデンサＣ１１が充電された後、クロック信号φ２が“Ｈ”→“Ｌ”と変化するとトランジスタＱ１２およびＱ１３がオフとなり、コンデンサＣ１１への充電が停止する。
【００３７】
（３）次に、クロック信号φ１が“Ｈ”→“Ｌ”と変化するとトランジスタＱ１１がオンとなり、コンデンサＣ１１のマイナス側の電位を電源電圧まで押し上げる。この結果、コンデンサＣ１１のプラス側の電位は、電源電圧のほぼ２倍の電圧まで上昇しようとする。
（４）コンデンサＣ１１のプラス側の電圧が上昇すると、ダイオードＤ１２がオンとなり、コンデンサＣ１１に蓄積された電荷がコンデンサＣ１２に流れ、コンデンサＣ１２の電圧が上昇し、逆にコンデンサＣ１１の電圧が下がる。コンデンサＣ１１のプラス側の電圧とコンデンサＣ１２の電圧がほぼ等しくなるまで電荷の移動が続く。このときのコンデンサＣ１２の電圧上昇（ΔＶｃ２）は、ダイオードＤ１２の順方向電圧と負荷を無視すれば、コンデンサＣ１１とＣ１２の静電容量（Ｃ１１Ｆ、Ｃ１２Ｆ）と、（１）で上昇したコンデンサＣ１１の電圧（ΔＶｃ１）で決まり、次式であらわされる。
【００３８】
【数１】
0003989685.tif 000002
（５）クロック信号φ１が“Ｌ”→“Ｈ”と変化するとトランジスタＱ１１がオフとなり、クロック１回の動作が完了する。また、負荷の撮影の照明用の発光ダイオードＬＷ２、ＬＢ２、ＬＧ２およびＬＲ２は充電されたコンデンサＣ１２から電流の供給を受けて発光する。
（６）以上の（１）〜（５）の動作を繰り返すことによって、コンデンサＣ１２は、コンデンサＣ１１より電荷が供給されて、負荷である発光ダイオードＬＷ２、ＬＢ２、ＬＧ２およびＬＲ２への電流を流し続けることができる。なお、ダイオードＤ１１およびＤ１２としては、ショトキーバリアダイオードのようにできるだけ順方向電圧の低いものを使用すると効率が向上する。
上述したように、シャッタが開いている間、撮影照明用の発光ダイオードに通電するためのスイッチング手段を、昇圧回路内のスイッチング手段と兼用することにより、部品点数とコストを削減することが可能となり、カメラ等の小型化にもさらに貢献する。
【００３９】
図４は、本発明の第３の実施の形態に係る撮影用照光装置の概略構成を示している。
図４に示す撮影用照光装置は、電池電源ＢＰ３、トランジスタＱ２１、トランジスタＱ２２、トランジスタＱ２３、クロック発生手段ＣＧ３、ダイオードＤ２１、コンデンサＣ２１、スイッチＳＷ３、白色発光ダイオードＬＷ３、青色発光ダイオードＬＢ３、緑色発光ダイオードＬＧ３、赤色発光ダイオードＬＲ３および抵抗Ｒ２１〜Ｒ２７を具備している。トランジスタＱ２１、トランジスタＱ２２、トランジスタＱ２３、クロック発生手段ＣＧ３、ダイオードＤ２１、コンデンサＣ２１、抵抗Ｒ２１〜Ｒ２３およびスイッチＳＷ３は、昇圧回路ＶＰ３を構成する。
【００４０】
図４に示す撮影用照光装置の構成は、図２に示す構成から、ダイオードＤ１２およびコンデンサＣ１２に相当する構成を省いたものである。したがって、図４における電池電源ＢＰ３、トランジスタＱ２１、トランジスタＱ２２、トランジスタＱ２３、クロック発生手段ＣＧ３、ダイオードＤ２１、コンデンサＣ２１、スイッチＳＷ３、白色発光ダイオードＬＷ３、青色発光ダイオードＬＢ３、緑色発光ダイオードＬＧ３、赤色発光ダイオードＬＲ３および抵抗Ｒ２１〜Ｒ２７は、図２における電池電源ＢＰ２、トランジスタＱ１１、トランジスタＱ１２、トランジスタＱ１３、クロック発生手段ＣＧ２、ダイオードＤ１１、コンデンサＣ１１、スイッチＳＷ２、白色発光ダイオードＬＷ２、青色発光ダイオードＬＢ２、緑色発光ダイオードＬＧ２、赤色発光ダイオードＬＲ２および抵抗Ｒ１１〜Ｒ１７にそれぞれほぼ相当し、図４の昇圧回路ＶＰ３は、図２の昇圧回路ＶＰ２にほぼ相当する。
【００４１】
電池電源ＢＰ３は、この場合も、上記各実施の形態と同様に電池を用いて公称３Ｖの電源電圧を得るように構成している。トランジスタＱ２１は、この場合ｐｎｐトランジスタであり、制御端子を有する第１のスイッチング手段を構成する。トランジスタＱ２１は、ベースを制御端子とし、エミッタ−コレクタ間を被制御路としている。トランジスタＱ２２は、この場合ｎｐｎトランジスタであり、制御端子を有する第２のスイッチング手段を構成する。トランジスタＱ２２は、ベースを制御端子とし、コレクタ−エミッタを被制御路としている。これらトランジスタＱ２１の被制御路であるエミッタ−コレクタ間と、トランジスタＱ２２の被制御路であるコレクタ−エミッタ間とを互いに直列接続として、電池電源ＢＰ３のプラス側とマイナス側との間に接続している。すなわち、電池電源ＢＰ３のプラス側にトランジスタＱ２１のエミッタを接続し、トランジスタＱ２１のコレクタをトランジスタＱ２２のコレクタに接続し、そしてトランジスタＱ２２のエミッタを電池電源ＢＰ３のマイナス側に接続している。トランジスタＱ２１のベースは、抵抗Ｒ２１を介してクロック発生手段ＣＧ３の第１のクロック出力φ１に接続され、トランジスタＱ２２のベースは、抵抗Ｒ２２を介してクロック発生手段ＣＧ３の第２のクロック出力φ２に接続される。
【００４２】
トランジスタＱ２３およびダイオードＤ２１は、第３のスイッチング手段を構成する。トランジスタＱ２３は、ｐｎｐトランジスタであり、ベースを制御端子とし、エミッタ−コレクタ間を被制御路としている。トランジスタＱ２３の被制御路は、ダイオードＤ２１に直列に接続され、ダイオードＤ２１は、コンデンサＣ２１と直列に接続されて、これらトランジスタＱ２３の被制御路、ダイオードＤ２１およびコンデンサＣ２１の直列回路は、電池電源ＢＰ３のプラス側と、前記トランジスタＱ２１の被制御路とトランジスタＱ２２の被制御路との接続点との間に接続される。すなわち、トランジスタＱ２３のエミッタが電池電源ＢＰ３のプラス側に接続され、トランジスタＱ２３のコレクタが、ダイオードＤ２１のアノードに接続され、ダイオードＤ２１のカソード側に一端が接続された第１のコンデンサＣ２１の他端が、トランジスタＱ２１のコレクタとトランジスタＱ２２のコレクタとの接続点に接続される。トランジスタＱ２３のベースは、抵抗Ｒ２３を介してトランジスタＱ２１のコレクタ（とトランジスタＱ２２のコレクタとの接続点）に接続される。
【００４３】
白色発光ダイオードＬＷ３、青色発光ダイオードＬＢ３、緑色発光ダイオードＬＧ３、および赤色発光ダイオードＬＲ３は、それぞれ所定の順方向電圧以上の電圧にて順方向に通電されると、白色、青色、緑色および赤色に発光する発光ダイオードである。白色発光ダイオードＬＷ３は、アノード側が抵抗Ｒ２４を介して、ダイオードＤ２１のカソードとコンデンサＣ２１との接続点に接続され、青色発光ダイオードＬＢ３は、アノード側が抵抗Ｒ２５を介して、ダイオードＤ２１のカソードとコンデンサＣ２１との接続点に接続され、緑色発光ダイオードＬＧ３は、アノード側が抵抗Ｒ２６を介して、ダイオードＤ２１のカソードとコンデンサＣ２１との接続点に接続され、さらに、赤色発光ダイオードＬＲ３は、アノード側が抵抗Ｒ２７を介して、ダイオードＤ２１のカソードとコンデンサＣ２１との接続点に接続される。白色発光ダイオードＬＷ３、青色発光ダイオードＬＢ３、緑色発光ダイオードＬＧ３、および赤色発光ダイオードＬＲ３のカソードは、共通接続されて電池電源ＢＰ３のマイナス側に接続される。
【００４４】
クロック発生手段ＣＧ３は、図５に示すように、シャッタ開信号入力端ＳＲ３の状態に応動して、シャッタ開信号入力端ＳＲ３がスイッチＳＷ３により、電池電源ＢＰ３のマイナス側に接続されてアースされると、その期間のみ、２相のクロック出力φ１およびφ２を発生してトランジスタＱ２１およびＱ２２の各ベースにそれぞれ供給する。２相のクロック出力φ１およびφ２は、対をなす逆位相のクロック信号である。スイッチＳＷ３は、シャッタ開閉機構（図示していない）に連動し、シャッタ開放時にオンとなって、クロック発生手段ＣＧ３のシャッタ開信号入力端ＳＲ３をアースする。
このような構成において、昇圧回路ＶＰ３の電源入力端Ｖｉｎには、電池電源ＢＰ３が接続され、公称３Ｖの電源電圧が印加される。昇圧回路ＶＰ３の動作時には、昇圧回路ＶＰ３の昇圧出力端Ｖｏｕｔから電源電圧のほぼ２倍の電圧が出力される。該昇圧出力端Ｖｏｕｔには、写真撮影の照明に用いるための白色発光ダイオードＬＷ３、並びに、三原色の発光ダイオードである青色発光ダイオードＬＢ３、緑色発光ダイオードＬＧ３および赤色発光ダイオードＬＲ３が全て１個ずつ並列に接続されている。
【００４５】
シャッタが閉じており、スイッチＳＷ３がオフとなっていて、昇圧回路ＶＰ３が作動していない状態では、図２の場合と全く同様である。すなわち、クロック発生手段ＣＧ３のクロック信号φ１出力は“Ｈ”レベル、そしてクロック信号φ２は“Ｌ”レベルとなっており、トランジスタＱ２１およびＱ２２は共にオフとなる。また、トランジスタＱ２３のベースはトランジスタＱ２２のコレクタに接続されているため、トランジスタＱ２２がオフであれば、トランジスタＱ２３もオフとなっている。したがって、昇圧回路ＶＰ３が作動していない状態では、電池電源ＢＰ３から、撮影時の照明用の発光ダイオードＬＷ３、ＬＢ３、ＬＧ３およびＬＲ３には電流は流れない。
【００４６】
次に、昇圧回路ＶＰ２が作動している状態を説明する。
（１）クロック信号φ２のレベルが“Ｌ”→“Ｈ”と変化すると、トランジスタＱ２２がオンとなる。そうすると、トランジスタＱ２３もオンとなるため、コンデンサＣ２１はほぼ電源電圧まで充電されるが、負荷の発光ダイオードＬＷ３、ＬＢ３、ＬＧ３およびＬＲ３の順方向電圧が高いため。この期間では発光ダイオードＬＷ３、ＬＢ３、ＬＧ３およびＬＲ３は発光しないか、あるいはたとえ発光しても十分な光量ではない。
（２）コンデンサＣ２１が充電された後、クロック信号φ２が“Ｈ”→“Ｌ”と変化するとトランジスタＱ２２およびＱ２３がオフとなり、コンデンサＣ２１への充電が停止する。
（３）次に、クロック信号φ１が“Ｈ”→“Ｌ”と変化するとトランジスタＱ２１がオンとなり、コンデンサＣ２１のマイナス側の電位を電源電圧まで押し上げる。この結果、コンデンサＣ２１のプラス側の電位は電源電圧のほぼ２倍の電圧まで上昇しようとする。
【００４７】
（４）負荷である撮影照明用の発光ダイオードＬＷ３、ＬＢ３、ＬＧ３およびＬＲ３は、コンデンサＣ２１のプラス側と電池電源ＢＰ３のマイナス側電極に接続されているので、コンデンサＣ２１のプラス側の電圧が発光ダイオードＬＷ３、ＬＢ３、ＬＧ３およびＬＲ３の順方向電以上に上昇するとこれら撮影照明用の発光ダイオードＬＷ３、ＬＢ３、ＬＧ３およびＬＲ３は発光する。
（５）クロック信号φ１が“Ｌ”→“Ｈ”と変化するとトランジスタＱ２１がオフとなり、クロック１回の動作が完了するとともに、撮影照明用の発光ダイオードＬＷ３、ＬＢ３、ＬＧ３およびＬＲ３への給電が停止する。このため、撮影照明用の発光ダイオードＬＷ３、ＬＢ３、ＬＧ３およびＬＲ３は消灯する。
（６）再びクロック信号φ２のレベルが“Ｌ”→“Ｈ”と変化すると、トランジスタＱ２２およびＱ２３がオンとなり、コンデンサＣ２１のマイナス側は０（ゼロ）Ｖに下がり、コンデンサＣ２１は、再びほぼ電源電圧まで充電される。
（７）以上の（１）〜（６）の動作を繰り返すことによって、撮影照明用の発光ダイオードＬＷ３、ＬＢ３、ＬＧ３およびＬＲ３は、トランジスタＱ２１がオンの時に発光し、トランジスタＱ２２およびＱ２３がオンの時に消灯することを繰り返すことになる。但し、クロックの周波数が十分高ければ、見かけ上連続発光と変わりなく、撮影される写真等への影響はない。さらに電流制限抵抗である抵抗Ｒ２４〜Ｒ２７の抵抗値を小さくして、発光ダイオードＬＷ３、ＬＢ３、ＬＧ３およびＬＲ３の電流を増やすことによって、点滅による光量不足も補うことができる。
【００４８】
図６は、本発明の第４の実施の形態に係る撮影用照光装置の概略構成を示している。
図６に示す撮影用照光装置は、電池電源ＢＰ４、トランジスタＱ３１、トランジスタＱ３２、トランジスタＱ３３、クロック発生手段ＣＧ４、ダイオードＤ３１、ダイオードＤ３２、コンデンサＣ３１、コンデンサＣ３２、スイッチＳＷ４、白色発光ダイオードＬＷ４、青色発光ダイオードＬＢ４、緑色発光ダイオードＬＧ４、赤色発光ダイオードＬＲ４および抵抗Ｒ３１〜Ｒ３７を具備している。トランジスタＱ３１、トランジスタＱ３２、トランジスタＱ３３、クロック発生手段ＣＧ４、ダイオードＤ３１、ダイオードＤ３２、コンデンサＣ３１、コンデンサＣ３２、抵抗Ｒ３１〜Ｒ３３およびスイッチＳＷ４は、昇圧回路ＶＰ４を構成する。
【００４９】
図６に示す撮影用照光装置の構成は、図２に示す構成における赤色発光ダイオードＬＲ２の電源を昇圧回路ＶＰ２の出力から実質的に電池電源ＢＰ２の電源出力に相当するものに変えたものである。すなわち、図６に示す撮影用照光装置において、電池電源ＢＰ４、トランジスタＱ３１、トランジスタＱ３２、トランジスタＱ３３、クロック発生手段ＣＧ４、ダイオードＤ３１、ダイオードＤ３２、コンデンサＣ３１、コンデンサＣ３２、スイッチＳＷ４、白色発光ダイオードＬＷ４、青色発光ダイオードＬＢ４、緑色発光ダイオードＬＧ４、赤色発光ダイオードＬＲ４および抵抗Ｒ３１〜Ｒ３７、並びに昇圧回路ＶＰ４は、図２における電池電源ＢＰ２、トランジスタＱ１１、トランジスタＱ１２、トランジスタＱ１３、クロック発生手段ＣＧ２、ダイオードＤ１１、ダイオードＤ１２、コンデンサＣ１１、コンデンサＣ１２、スイッチＳＷ２、白色発光ダイオードＬＷ２、青色発光ダイオードＬＢ２、緑色発光ダイオードＬＧ２、赤色発光ダイオードＬＲ２および抵抗Ｒ１１〜Ｒ１７、並びに昇圧回路ＶＰ２にそれぞれ対応する。
【００５０】
図６において、赤色発光ダイオードＬＲ４のアノードは、抵抗Ｒ３７を介して、昇圧回路ＶＰ４の出力、つまりダイオードＤ３２とコンデンサＣ３２との接続点ではなく、電池電源ＢＰ４のプラス側電極に接続する。そして赤色発光ダイオードＬＲ４のカソードは、電池電源ＢＰ４のマイナス側電極ではなく、コンデンサＣ３１とトランジスタＱ３２のコレクタとの接続点に接続する。
電池電源ＢＰ４は、この場合も、電池を用いて公称３Ｖの電源電圧を得るように構成している。トランジスタＱ３１は、この場合ｐｎｐトランジスタであり、制御端子を有する第１のスイッチング手段を構成する。トランジスタＱ３１は、ベースを制御端子とし、エミッタ−コレクタ間を被制御路としている。トランジスタＱ３２は、この場合ｎｐｎトランジスタであり、制御端子を有する第２のスイッチング手段を構成する。トランジスタＱ３２は、ベースを制御端子とし、コレクタ−エミッタを被制御路としている。これらトランジスタＱ３１の被制御路であるエミッタ−コレクタ間と、トランジスタＱ３２の被制御路であるコレクタ−エミッタ間とを互いに直列接続として、電池電源ＢＰ４のプラス側とマイナス側との間に接続している。
【００５１】
すなわち、電池電源ＢＰ４のプラス側にトランジスタＱ３１のエミッタを接続し、トランジスタＱ３１のコレクタをトランジスタＱ３２のコレクタに接続し、そしてトランジスタＱ３２のエミッタを電池電源ＢＰ４のマイナス側に接続している。トランジスタＱ３１のベースは、抵抗Ｒ３１を介してクロック発生手段ＣＧ４の第１のクロック出力φ１に接続され、トランジスタＱ３２のベースは、抵抗Ｒ３２を介してクロック発生手段ＣＧ４の第２のクロック出力φ２に接続される。
トランジスタＱ３３およびダイオードＤ３１は、第３のスイッチング手段を構成する。トランジスタＱ３３は、ｐｎｐトランジスタであり、ベースを制御端子とし、エミッタ−コレクタ間を被制御路としている。トランジスタＱ３３の被制御路は、ダイオードＤ３１に直列に接続され、ダイオードＤ３１は、第１のコンデンサＣ３１と直列に接続されて、これらトランジスタＱ３３の被制御路、ダイオードＤ３１、および第１のコンデンサＣ３１の直列回路は、電池電源ＢＰ４のプラス側と、前記トランジスタＱ３１の被制御路とトランジスタＱ３２の被制御路との接続点との間に接続される。
【００５２】
すなわち、トランジスタＱ３３のエミッタが電池電源ＢＰ４のプラス側に接続され、トランジスタＱ３３のコレクタが、ダイオードＤ３１のアノードに接続され、ダイオードＤ３１のカソード側に一端が接続された第１のコンデンサＣ３１の他端が、トランジスタＱ３１のコレクタとトランジスタＱ３２のコレクタとの接続点に接続される。トランジスタＱ３３のベースは、抵抗Ｒ３３を介してトランジスタＱ３１のコレクタ（とトランジスタＱ３２のコレクタとの接続点）に接続される。
ダイオードＤ３２は、第４のスイッチング手段として、第２のコンデンサＣ３２と直列に接続され、これらダイオードＤ３２と第２のコンデンサＣ３２の直列回路は、ダイオードＤ３１とコンデンサＣ３１との接続点と、電池電源ＢＰ４のマイナス側との間に接続される。すなわち、ダイオードＤ３２のアノードが、ダイオードＤ３１のカソードと第１のコンデンサＣ３１との接続点に接続され、ダイオードＤ３２のカソード側に一端が接続された第２のコンデンサＣ３２の他端が、電池電源ＢＰ４のマイナス側に接続される。
【００５３】
白色発光ダイオードＬＷ４、青色発光ダイオードＬＢ４、緑色発光ダイオードＬＧ４、および赤色発光ダイオードＬＲ４は、それぞれ所定の順方向電圧以上の電圧にて順方向に通電されると、白色、青色、緑色および赤色に発光する発光ダイオードである。
白色発光ダイオードＬＷ４は、アノード側が抵抗Ｒ３４を介して、ダイオードＤ３２のカソードと第２のコンデンサＣ３２との接続点に接続され、青色発光ダイオードＬＢ４は、アノード側が抵抗Ｒ３５を介して、ダイオードＤ３２のカソードと第２のコンデンサＣ３２との接続点に接続され、そして緑色発光ダイオードＬＧ４は、アノード側が抵抗Ｒ３６を介して、ダイオードＤ３２のカソードと第２のコンデンサＣ３２との接続点に接続される。白色発光ダイオードＬＷ４、青色発光ダイオードＬＢ４および緑色発光ダイオードＬＧ２のカソードは、共通接続されて電池電源ＢＰ４のマイナス側に接続される。さらに、赤色発光ダイオードＬＲ４は、アノード側が抵抗Ｒ３７を介して、電池電源ＢＰ４のプラス側に接続され、そのカソード側は、第１のコンデンサＣ３１とトランジスタＱ３２のコレクタとの接続点に接続される。
【００５４】
クロック発生手段ＣＧ４は、図７に示すように、シャッタ開信号入力端ＳＲ４の状態に応動して、シャッタ開信号入力端ＳＲ４がスイッチＳＷ４により、電池電源ＢＰ４のマイナス側に接続されてアースされると、その期間のみ、２相のクロック出力φ１およびφ２を発生してトランジスタＱ３１およびＱ３２の各ベースにそれぞれ供給する。２相のクロック出力φ１およびφ２は、対をなす逆位相のクロック信号である。スイッチＳＷ４は、シャッタ開閉機構（図示していない）に連動し、シャッタ開放時にオンとなって、クロック発生手段ＣＧ４のシャッタ開信号入力端ＳＲ４をアースする。
【００５５】
図２の撮影用照光装置の構成では昇圧回路の負荷となる撮影照明用の発光ダイオードをオン／オフさせるのにクロック信号のオン／オフを利用するとともに、電池電源から負荷である発光ダイオードへ直接電流が流れないように、クロックが停止されている場合には、トランジスタＱ３３もオフとしていた。しかしながら、図６の撮影用照光装置を構成するにあたり、単に、赤色発光ダイオードＬＲ４の電源を電池電源ＢＰ４に変えると、クロック信号を停止させても発光してしまうために、別途に赤色発光ダイオードＬＲ４だけの電流を制御するスイッチング手段が必要となる。ところが、図６のように赤色発光ダイオードＬＲ４のカソード側をトランジスタＱ３２のコレクタに接続することにより、新たなスイッチング手段を追加する必要がなくなる。
なお、この回路では、赤色発光ダイオードＬＲ４の発光は、トランジスタＱ３２がオンとなっている間だけになり、発光時間が他の発光ダイオードの約半分になってしまうが、赤色発光ダイオードは元々、他の色の発光ダイオードに比べ発光輝度が高いので、電流制限抵抗Ｒ３７の値を小さくし、赤色発光ダイオードの光量を上げて補うこともできる。
【００５６】
上述したように、赤色発光ダイオードは電源から直接電流を流すようにすれば、昇圧回路を通すよりも電源効率を上げることができる。
さらに、図６の構成からダイオードＤ３２とコンデンサＣ３２を省いてもよく、この場合には図４の実施の形態（本発明の第３の実施の形態）に図６の実施の形態（本発明の第４の実施の形態）の技術を応用したものとなる。
また、図２〜図７に関連して説明した各実施の形態においては、第３のスイッチング手段を構成する能動素子としてのトランジスタＱ１３、Ｑ２３またはＱ３３のベース電極を抵抗Ｒ１３、Ｒ２３またはＲ３３を介してトランジスタＱ１２、Ｑ２２またはＱ３２のコレクタにそれぞれ接続している。
この場合の動作は既に説明したようにトランジスタＱ１３、Ｑ２３またはＱ３３のオン／オフのタイミングは、それぞれトランジスタＱ１２、Ｑ２２またはＱ３２のオン／オフのタイミングと同様であるので、トランジスタＱ１３、Ｑ２３またはＱ３３のベース電極をトランジスタＱ１２、Ｑ２２またはＱ３２のコレクタにそれぞれ接続することによって、これらトランジスタＱ１３、Ｑ２３またはＱ３３を、それぞれトランジスタＱ１２、Ｑ２２またはＱ３２と同じタイミングでオン／オフさせることができる。
【００５７】
図８は、本発明の第５の実施の形態に係る撮影用照光装置に用いられるクロック発生手段の概略構成を示し、そのタイミングチャートを図９に示している。
図８に示すクロック発生手段は、クロック発生回路ＣＯ、ナンド（ＮＡＮＤ）ゲートＧ１、インバータＧ２、ナンドゲートＧ３、インバータＧ４、抵抗Ｒ４０およびスイッチＳＷ５で構成されている。ナンドゲートＧ１、Ｇ３、インバータＧ２、Ｇ４および抵抗Ｒ４０は、クロック制御手段ＣＣを構成している。
クロック発生回路ＣＯから出力されるクロック信号φ０は、ナンドゲートＧ１の一方の入力端と、インバータＧ２によって反転された後に、ナンドゲートＧ３の一方の入力端に接続されている。ナンドゲートＧ１およびＧ３の各他方の入力端は、シャッタ開信号入力端ＳＲ５として、スイッチＳＷ５に接続されている。スイッチＳＷ５は、オンとなると、シャッタ開信号入力端ＳＲ５をアースして“Ｌ”レベルとし、オフとなると、抵抗Ｒ４０を介してプルアップされたシャッタ開信号入力端ＳＲ５を“Ｈ”レベルとする。このスイッチＳＷ５は、シャッタと連動しており、シャッタが開いている間オフとなる。
【００５８】
カメラ等の電源が投入され、クロック発生手段ＣＯからクロック信号φ０が出力されている状態で、シャッタが開くとスイッチＳＷ５がオフとなり、ナンドゲートＧ１およびＧ３のゲートが開き、ナンドゲートＧ１の出力からはクロック信号φ１が、ナンドゲートＧ３の出力からはインバータＧ４を通ってクロック信号φ２が出力される。これら２つの信号が図２に示したトランジスタＱ１１とトランジスタＱ１２の制御端子、図４に示したトランジスタＱ２１とトランジスタＱ２２の制御端子、または図６に示したトランジスタＱ３１とトランジスタＱ３２の制御端子等に印加されて、昇圧回路ＶＰ２、ＶＰ３またはＶＰ４が作動し、昇圧回路ＶＰ２、ＶＰ３またはＶＰ４の出力に接続されている撮影照明用の発光ダイオードを発光させる。
【００５９】
図８においては、クロック制御手段ＣＣをゲートの組み合わせ回路として構成したが、このクロック制御手段ＣＣは、クロック発生手段ＣＯやカメラ等における他の制御回路を含め中央処理装置（ＣＰＵ）等を利用して実現するようにしても構わない。
このようにして、シャッタの開放時間と発光ダイオードの発光時間とを適切に合わせるようにすれば、発光ダイオードの発光光量を一層効率よく利用することができる。
【００６０】
図１０は、本発明の第６の実施の形態に係る撮影用照光装置の概略構成を示している。
図１０に示す撮影用照光装置は、電池電源ＢＰ６、昇圧回路ＶＰ６、スイッチＳＷ６、２個の青色発光ダイオードＬＢ６１、ＬＢ６２、２個の緑色発光ダイオードＬＧ６１、ＬＧ６２、赤色発光ダイオードＬＲ６１、ＬＲ６２、および抵抗Ｒ５１〜Ｒ５３を具備している。図６に示す撮影用照光装置の構成は、赤色発光ダイオードの順方向電圧は約２Ｖと青色発光ダイオードおよび緑色発光ダイオードの約３．６Ｖに比べ半分近くであることを考慮し、赤色発光ダイオードを２個直列として、２個並列とした青色発光ダイオードおよび緑色発光ダイオードと並列に昇圧回路に接続している。
【００６１】
すなわち、図１０において、電池電源ＢＰ６は、昇圧回路ＶＰ６に電力を供給している。第１の青色発光ダイオードＬＢ６１と第２の青色発光ダイオードＬＢ６２とを並列に接続し、これらのアノードを昇圧回路ＶＰ６のプラス側出力端Ｖｏｕｔに共通に接続する。青色発光ダイオードＬＢ６１と青色発光ダイオードＬＢ６２とのカソードは共通に接続して抵抗Ｒ５１を介してスイッチＳＷ６の一端に接続する。第１の緑色発光ダイオードＬＧ６１と第２の緑色発光ダイオードＬＧ６２とを並列に接続し、これらのアノードを昇圧回路ＶＰ６のプラス側出力端Ｖｏｕｔに共通に接続する。緑色発光ダイオードＬＧ６１と緑色発光ダイオードＬＧ６２とのカソードは、共通に接続して抵抗Ｒ５２を介してスイッチＳＷ６の前記一端に接続する。第１の赤色発光ダイオードＬＲ６１と第２の赤色発光ダイオードＬＲ６２とを互いに直列に接続する。すなわち、第１の赤色発光ダイオードＬＲ６１のカソードを第２の赤色発光ダイオードＬＲ６２のアノードに接続する。そして、第１の赤色発光ダイオードＬＲ６１のアノードを昇圧回路ＶＰ６のプラス側出力端Ｖｏｕｔに接続し第２の赤色発光ダイオードＬＲ６２のカソードを抵抗Ｒ５３を介してスイッチＳＷ６の前記一端に接続する。スイッチＳＷ６の他端は、昇圧回路ＶＰ６および電池電源ＢＰ６の共通接続されたマイナス側に接続する。スイッチＳＷ６は、シャッタ動作に連動し、シャッタ開放時にオンとなる。
【００６２】
このようにすれば、赤色発光ダイオードの順方向電圧は約２Ｖと青色発光ダイオードや緑色発光ダイオードの約３．６Ｖに比べ半分近くであることを有効に利用することができる。すなわち、各色毎に２個ずつの発光ダイオードを用いる場合、赤色発光ダイオードのみを２個直列として昇圧回路に接続し、青色発光ダイオードおよび緑色発光ダイオードは２個並列として昇圧回路に接続する。このようにすることにより、赤色発光ダイオードについては、２個直列に接続することにより、同じ電流で２倍の光量を得られるようになりエネルギー効率が上がる。上述したように、赤発光ダイオードを昇圧回路の出力に繋ぐ場合、２個直列に接続するようにしているので、電源効率を一層向上させることができる。
【００６３】
【発明の効果】
以上述べたように、本発明によれば、カメラ等において使用頻度が高く且つ使用装置の小型化が容易に実現できる電池である公称１．５Ｖの乾電池２個および公称３Ｖのリチウム電池１個等の公称３Ｖの電池電源を用いて、発光ダイオードを発光させる場合のように、写真等の撮影の照明用に使用するにあたり、電池電源による電源電圧よりも順方向電圧の高い発光ダイオードを、シャッタが開いている間だけ、昇圧回路を作動させて発光させることによって、公称３Ｖの電池電源を用いて、発光ダイオードを撮影照明用に充分な光量で発光させることを可能とする撮影用照光装置を提供することができる。
すなわち、本発明の請求項１の撮影用照光装置によれば、公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なう撮影用照光装置において、
前記電池電源の公称電圧とほぼ等しい電圧を蓄積するためのコンデンサと、
前記コンデンサの蓄積電圧を前記電池電源の電源電圧に上乗せして昇圧し、前記白色発光ダイオードと、前記青色発光ダイオードおよび緑色発光ダイオードとのうちの使用されているものに前記昇圧された出力を供給する昇圧回路と、
シャッタの開閉動作に連動して、シャッタが開いている間、前記昇圧回路を作動させるとともに、前記各発光ダイオードに通電するためのシャッタ連動スイッチング手段とを有し、
前記白色発光ダイオード、前記青色発光ダイオードおよび前記緑色発光ダイオードに比べ順方向電圧が低い前記赤色発光ダイオードは、前記電池電源から直接電流を流すように回路接続されたことにより、カメラ等において使用頻度が高く且つ使用装置の小型化が容易に実現できる電池である公称１．５Ｖの乾電池２個および公称３Ｖのリチウム電池１個等の公称３Ｖの電池電源を用いて、発光ダイオードを発光させる場合のように、写真等の撮影の照明用に使用するにあたり、電池電源による電源電圧よりも順方向電圧の高い発光ダイオードを、シャッタが開いている間だけ、昇圧回路を作動させて発光させることによって、公称３Ｖの電池電源を用いて、発光ダイオードを撮影照明用に充分な光量で発光させることを可能とし、特に、電池電源による電源電圧よりも順方向電圧の高い白色発光ダイオードと、青色発光ダイオードおよび緑色発光ダイオードとのうちの使用されている発光ダイオードを発光させるための昇圧回路を、比較的簡単な構成によりシャッタが開いている間のみ作動させることを可能とすると共に、順方向電圧が低い赤色発光ダイオードは、前記昇圧回路を介さず、電池電源の電源電圧を通電することで、電源効率を向上させることができる。
また、本発明の請求項２による撮影用照光装置によれば、公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なう撮影用照光装置において、
前記電池電源の公称電圧とほぼ等しい電圧を蓄積するためのコンデンサの蓄積電圧を昇圧回路により前記電池電源の電源電圧に上乗せして昇圧し、使用されている前記ダイオードに前記昇圧された出力を供給し、シャッタ連動スイッチング手段が、
シャッタの開閉動作に連動して、シャッタが開いている間、前記昇圧回路を作動させるとともに、前記各発光ダイオードに通電する。
前記白色発光ダイオード、青色発光ダイオードおよび緑色発光ダイオードは、前記昇圧回路の出力に対して１個ずつ並列に接続し、前記白色発光ダイオード、前記青色発光ダイオードおよび前記緑色発光ダイオードに比べ順方向電圧が低い前記赤色発光ダイオードは、２個ずつの直列回路を単位として前記昇圧回路の出力に対して接続する構成により、特に、白色発光ダイオード、青色発光ダイオードまたは緑色発光ダイオードの順方向電圧が、赤色発光ダイオードの順方向電圧の２倍弱という性質を利用し、赤色発光ダイオードを２個直列に接続して昇圧回路に接続することにより、赤色発光ダイオードに流すトータル電流を削減することを可能とする。
【００６４】
また、本発明の請求項３の撮影用照光装置によれば、前記昇圧回路が、制御端子を備えた第１のスイッチング手段の被制御路および制御端子を備えた第２のスイッチング手段の被制御路を直列に接続した回路を、前記電池電源の両電極間に接続し、第３のスイッチング手段および第１のコンデンサを直列に接続した回路を、前記電池電源の一方の電極と、前記第１のスイッチング手段と前記第２のスイッチング手段との接続点との間に接続し、第４のスイッチング手段および第２のコンデンサを直列に接続した回路を、前記第３のスイッチング手段と前記第１のコンデンサとの接続点と、前記電池電源の他方の電極との間に接続し、前記シャッタ連動スイッチング手段に連動し、シャッタが開いている間だけ、クロック信号を発生するクロック発生手段を有し、前記第１のスイッチング手段の制御端子および前記第２のスイッチング手段の制御端子に、前記クロック発生手段からのクロック信号を印加して、前記第１のスイッチング手段と前記第２のスイッチング手段を交互にオン／オフ動作させ、前記第２のスイッチング手段のオン動作と同期して、前記第３のスイッチング手段がオンとなり、前記第１のコンデンサをほぼ前記電源電圧まで充電し、前記第１のスイッチング手段のオン動作と同期して、前記第４のスイッチング手段がオンとなり、前記第２のコンデンサを前記電源電圧のほぼ倍の電圧まで充電するように構成することにより、特に、前記昇圧回路の具体的な構成の一つの好適な態様を提供することができる。
【００６５】
本発明の請求項４の撮影用照光装置によれば、前記第３のスイッチング手段が、制御端子を備え且つその被制御路を前記電池電源の前記一方の電極と前記第１のコンデンサとの間に介挿した能動素子を含む構成とし、前記クロック発生手段からクロック信号が発生されていない場合には、前記第３のスイッチング手段をオフとすることにより、特に、撮影照明用の発光ダイオードの通電制御を、昇圧回路内のスイッチング手段で兼用して、回路の簡素化、およびそれによる部品点数と製造コストを削減することができる。
【００６６】
本発明の請求項５の撮影用照光装置によれば、前記昇圧回路が、制御端子を備えた第１のスイッチング手段の被制御路および制御端子を備えた第２のスイッチング手段の被制御路を直列に接続した回路を、前記電池電源の一方の電極と他方の電極との間に接続し、第３のスイッチング手段およびコンデンサを直列に接続した回路を、前記電池電源の前記一方の電極と前記第１のスイッチング手段と前記第２のスイッチング手段との接続点との間に接続し、前記シャッタ連動スイッチング手段に連動し、シャッタが開いている間だけ、クロック信号を発生するクロック発生手段を有し、前記第１のスイッチング手段の制御端子および前記第２のスイッチング手段の制御端子に、前記クロック発生手段からのクロック信号を印加して、前記第１のスイッチング手段と前記第２のスイッチング手段を交互にオン／オフ動作させ、前記第２のスイッチング手段のオン動作と同期して、前記第３のスイッチング手段がオンとなり、前記コンデンサをほぼ前記電源電圧まで充電し、前記第１のスイッチング手段のオン動作によって、前記コンデンサへの印加電圧を前記電源電圧のほぼ倍の電圧まで昇圧させるように構成することにより、特に、昇圧回路をさらに簡単化し、部品点数および製造コストを削減し得る構成を提供することができる。
【００６７】
本発明の請求項６の撮影用照光装置によれば、前記第３のスイッチング手段が、制御端子を備え且つその被制御路を前記電池電源の前記一方の電極と前記コンデンサとの間に介挿した能動素子を含む構成とし、前記クロック発生手段からクロック信号が発生されていない場合には、前記第３のスイッチング手段をオフとすることにより、特に、請求項４の撮影用照光装置における撮影照明用の発光ダイオードの通電制御を、昇圧回路内のスイッチング手段で兼用して、回路の簡素化、およびそれによる部品点数と製造コストを削減することができる。
本発明の請求項７の撮影用照光装置によれば、前記赤色発光ダイオードが、前記電池電源の前記一方の電極と、前記第１のスイッチング手段の被制御路と前記第２のスイッチング手段の被制御路との接続点との間に接続される構成により、特に、順方向電圧の低い赤色発光ダイオードを電池電源から直接発光させる場合、赤色発光ダイオードの通電制御を昇圧回路内のスイッチング手段で兼用することで、部品点数および製造コストを削減することができる。
【００６８】
本発明の請求項８の撮影用照光装置によれば、前記第３のスイッチング手段が、前記第１のスイッチング手段の被制御路と前記第２のスイッチング手段の被制御路との接続点にベース電極が結合されたトランジスタと、前記トランジスタのエミッタ−コレクタ間回路に直列に接続されたダイオードとを具備することにより、特に、前記昇圧回路におけるスイッチング手段の接続構成を工夫することによって、回路の簡素化を図るとともに、部品点数および製造コストを削減することを可能としている。
【００６９】
本発明の請求項９の撮影用照光装置によれば、前記クロック発生手段が、シャッタが開放近くまで開いた時に当該クロック発生手段により発生される前記クロック信号を前記第１のスイッチング手段および前記第２のスイッチング手段の各制御端子に印加し、且つシャッタが閉じ始めた時に前記クロック発生手段によるクロック信号が停止するようにクロックを制御するクロック制御手段を備えることにより、特に、発光ダイオードに大電流を流せる時間は、１０ｍＳ程度と比較的短いことを考慮し、シャッタの開放時間と発光ダイオードの発光時間とを合わせて、発光ダイオードの発光光量を効率良く利用することができる。
【図面の簡単な説明】
【図１】本発明の第１の実施の形態に係る撮影用照光装置の要部の構成を示す回路構成図である。
【図２】本発明の第２の実施の形態に係る撮影用照光装置の要部の構成を示す回路構成図である。
【図３】図２の撮影用照光装置の動作を説明するためのタイミングチャートである。
【図４】本発明の第３の実施の形態に係る撮影用照光装置の要部の構成を示す回路構成図である。
【図５】図４の撮影用照光装置の動作を説明するためのタイミングチャートである。
【図６】本発明の第４の実施の形態に係る撮影用照光装置の要部の構成を示す回路構成図である。
【図７】図６の撮影用照光装置の動作を説明するためのタイミングチャートである。
【図８】本発明の第５の実施の形態に係る撮影用照光装置に用いるクロック発生手段の構成を示すブロック図である。
【図９】図８のクロック発生手段の動作を説明するためのタイミングチャートである。
【図１０】本発明の第６の実施の形態に係る撮影用照光装置の要部の構成を示す回路構成図である。
【符号の説明】
ＢＰ１，ＢＰ２，ＢＰ３，ＢＰ４，ＢＰ６  電池電源
ＶＰ１，ＶＰ２，ＶＰ３，ＶＰ４，ＶＰ６  昇圧回路
ＳＷ１，ＳＷ２，ＳＷ３，ＳＷ４，ＳＷ５，ＳＷ６  スイッチ
ＣＧ１，ＣＧ２，ＣＧ３，ＣＧ４，ＣＧ５，ＣＧ６  クロック発生手段
ＬＷ１，ＬＷ２，ＬＷ３，ＬＷ４  白色発光ダイオード（ＬＥＤ）
ＬＢ１，ＬＢ２，ＬＢ３，ＬＢ４，ＬＢ６１，ＬＢ６２  青色発光ダイオード（ＬＥＤ）
ＬＧ１，ＬＧ２，ＬＧ３，ＬＧ４，ＬＧ６１，ＬＧ６２  緑色発光ダイオード（ＬＥＤ）
ＬＲ１，ＬＲ２，ＬＲ３，ＬＲ４，ＬＲ６１，ＬＲ６２  赤色発光ダイオード（ＬＥＤ）
Ｑ１，Ｑ２，Ｑ１１〜Ｑ１３，Ｑ２１〜Ｑ２３，Ｑ３１〜Ｑ３３  トランジスタ
Ｄ１，Ｄ２，Ｄ１１，Ｄ１２，Ｄ２１，Ｄ３１，Ｄ３２  ダイオード
Ｃ１，Ｃ２，Ｃ１１，Ｃ１２，Ｃ２１，Ｃ３１，Ｃ３２  コンデンサ
Ｒ１〜Ｒ６，Ｒ１１〜Ｒ１７，Ｒ２１〜Ｒ２７，Ｒ３１〜Ｒ３７，Ｒ４０，Ｒ５１〜Ｒ５３  抵抗
Ｇ１，Ｇ３  ナンドゲート
Ｇ２，Ｇ４  インバータ
ＣＯ  クロック発生回路
ＣＣ  クロック制御手段
【図１】
0003989685.tif 000003
【図２】
0003989685.tif 000004
【図３】
0003989685.tif 000005
【図４】
0003989685.tif 000006
【図５】
0003989685.tif 000007
【図６】
0003989685.tif 000008
【図７】
0003989685.tif 000009
【図８】
0003989685.tif 000010
【図９】
0003989685.tif 000011
【図１０】
0003989685.tif 000012